(57)【要約】【課題】表面と背面との双方において画像を表示するためのより薄型の表示装置およびモバイル機器を提供する。【解決手段】表示装置は、表面方向と前記表面方向と反対の背面方向とに向かって第１偏光と第２偏光とをそれぞれ出射するように設けられた発光素子と、前記第１偏光を反射し前記第２偏光を透過するように前記発光素子の前記表面方向側に配置された第１反射型偏光板と、前記第２偏光を反射し前記第１偏光を透過するように前記発光素子の前記背面方向側に配置された第２反射型偏光板とを具備することを特徴とする。【選択図】  図３
2004205702.tif 000002
【特許請求の範囲】
【請求項１】
表面方向と前記表面方向と反対の背面方向とに向かって第１偏光と第２偏光とをそれぞれ出射するように設けられた発光素子と、
前記第１偏光を反射し前記第２偏光を透過するように前記発光素子の前記表面方向側に配置された第１反射型偏光板と、
前記第２偏光を反射し前記第１偏光を透過するように前記発光素子の前記背面方向側に配置された第２反射型偏光板とを具備することを特徴とする表示装置。
【請求項２】
前記第１偏光の偏光方向と前記第２偏光の偏光方向とは、互いに約９０度異なっている、請求項１記載の表示装置。
【請求項３】
前記発光素子から前記表面方向に向かって出射した第２偏光は、前記第１反射型偏光板を前記表面方向に向かって透過し、
前記発光素子から前記背面方向に向かって出射した第２偏光は、前記第２反射型偏光板によって反射されて前記発光素子を透過した後、前記第１反射型偏光板を前記表面方向に向かって透過し、
前記発光素子から前記背面方向に向かって出射した第１偏光は、前記第２反射型偏光板を前記背面方向に向かって透過し、
前記発光素子から前記表面方向に向かって出射した第１偏光は、前記第１反射型偏光板によって反射されて前記発光素子を透過した後、前記第２反射型偏光板を前記背面方向に向かって透過する、請求項１記載の表示装置。
【請求項４】
前記発光素子は、ＯＬＥＤ素子である、請求項１記載の表示装置。
【請求項５】
前記発光素子から前記表面方向に向かって出射した第２偏光と、前記発光素子から前記背面方向に向かって出射して前記第２反射型偏光板によって反射された第２偏光とによって第１画像を表示するために前記第１反射型偏光板を挟んで前記発光素子と対向するように配置された表面表示画面と、
前記発光素子から前記背面方向に向かって出射した第１偏光と、前記発光素子から前記表面方向に向かって出射して前記第１反射型偏光板によって反射された第１偏光とによって第２画像を表示するために前記第２反射型偏光板を挟んで前記発光素子と対向するように配置された背面表示画面とをさらに具備する、請求項１記載の表示装置。
【請求項６】
表面方向と前記表面方向と反対の背面方向とに向かって第１偏光と第２偏光とをそれぞれ出射するように設けられた発光素子と、
前記第１偏光を反射し前記第２偏光を透過するために前記発光素子の前記表面方向側に配置された第１反射型偏光板と、
前記第２偏光を反射し前記第１偏光を透過するために前記発光素子の前記背面方向側に配置された第２反射型偏光板と、
前記発光素子から前記表面方向に向かって出射した第２偏光と、前記発光素子から前記背面方向に向かって出射して前記第２反射型偏光板によって反射された第２偏光とによって第１画像を表示するために前記第１反射型偏光板を挟んで前記発光素子と対向するように配置された表面表示画面と、
前記発光素子から前記背面方向に向かって出射した第１偏光と、前記発光素子から前記表面方向に向かって出射して前記第１反射型偏光板によって反射された第１偏光とによって第２画像を表示するために前記第２反射型偏光板を挟んで前記発光素子と対向するように配置された背面表示画面と、
前記表面表示画面が設けられた表面と前記背面表示画面が設けられた背面とを有する本体とを具備することを特徴とするモバイル機器。
【発明の詳細な説明】
【０００１】
【発明の属する技術分野】
本発明は、表面と背面との双方において画像を表示するための表示装置およびモバイル機器に関する。
【０００２】
【従来の技術】
携帯電話によって代表されるモバイル装置は、薄型であって、かつコンパクトであることが要求される。特開２００２−２０９００１号公報には、表面と背面との双方において画像を表示するための表示装置およびモバイル機器が開示されている。
【０００３】
【特許文献１】
特開２００２−２０９００１号公報
【０００４】
【発明が解決しようとする課題】
しかしながら前述した従来技術に開示された構成では、本体の表面と背面との双方において画像を表示するために、本体の表面において画像を表示するための表面用発光素子と、本体の背面において画像を表示するための背面発光素子とを設ける必要がある。表面用発光素子と背面発光素子とは、携帯電話の厚み方向に沿って互いに重なるように設ける必要がある。このため、携帯電話の厚みが厚くなるという問題がある。
【０００５】
本発明は係る問題を解決するためになされたものであり、その目的は、表面と背面との双方において画像を表示するためのより薄型の表示装置およびモバイル機器を提供することにある。
【０００６】
【課題を解決するための手段】
係る目的を達成するために本発明に係る表示装置は、表面方向と前記表面方向と反対の背面方向とに向かって第１偏光と第２偏光とをそれぞれ出射するように設けられた発光素子と、前記第１偏光を反射し前記第２偏光を透過するように前記発光素子の前記表面方向側に配置された第１反射型偏光板と、前記第２偏光を反射し前記第１偏光を透過するように前記発光素子の前記背面方向側に配置された第２反射型偏光板とを具備することを特徴とする。
【０００７】
本発明に係るモバイル機器は、表面方向と前記表面方向と反対の背面方向とに向かって第１偏光と第２偏光とをそれぞれ出射するように設けられた発光素子と、前記第１偏光を反射し前記第２偏光を透過するために前記発光素子の前記表面方向側に配置された第１反射型偏光板と、前記第２偏光を反射し前記第１偏光を透過するために前記発光素子の前記背面方向側に配置された第２反射型偏光板と、前記発光素子から前記表面方向に向かって出射した第２偏光と、前記発光素子から前記背面方向に向かって出射して前記第２反射型偏光板によって反射された第２偏光とによって第１画像を表示するために前記第１反射型偏光板を挟んで前記発光素子と対向するように配置された表面表示画面と、前記発光素子から前記背面方向に向かって出射した第１偏光と、前記発光素子から前記表面方向に向かって出射して前記第１反射型偏光板によって反射された第１偏光とによって第２画像を表示するために前記第２反射型偏光板を挟んで前記発光素子と対向するように配置された背面表示画面と、前記表面表示画面が設けられた表面と前記背面表示画面が設けられた背面とを有する本体とを具備することを特徴とする。
【０００８】
【発明の実施の形態】
本実施の形態に係る表示装置においては、第１偏光を反射し第２偏光を透過するように発光素子の表面方向側に配置された第１反射型偏光板と、第２偏光を反射し第１偏光を透過するように発光素子の背面方向側に配置された第２反射型偏光板とを具備している。
【０００９】
このため、発光素子から表面方向に向かって出射した第２偏光は、第１反射型偏光板を表面方向に向かって透過することができ、発光素子から背面方向に向かって出射した第２偏光は、第２反射型偏光板によって反射されて発光素子を透過した後、第１反射型偏光板を表面方向に向かって透過することができる。また、発光素子から背面方向に向かって出射した第１偏光は、第２反射型偏光板を背面方向に向かって透過することができ、発光素子から表面方向に向かって出射した第１偏光は、第１反射型偏光板によって反射されて発光素子を透過した後、第２反射型偏光板を背面方向に向かって透過することができる。
【００１０】
その結果、厚みの薄い構成によって表面側と背面側との双方に画像を表示することができる。
【００１１】
前記第１偏光の偏光方向と前記第２偏光の偏光方向とは、互いに約９０度異なっていることが好ましい。
【００１２】
前記発光素子から前記表面方向に向かって出射した第２偏光は、前記第１反射型偏光板を前記表面方向に向かって透過し、前記発光素子から前記背面方向に向かって出射した第２偏光は、前記第２反射型偏光板によって反射されて前記発光素子を透過した後、前記第１反射型偏光板を前記表面方向に向かって透過し、前記発光素子から前記背面方向に向かって出射した第１偏光は、前記第２反射型偏光板を前記背面方向に向かって透過し、前記発光素子から前記表面方向に向かって出射した第１偏光は、前記第１反射型偏光板によって反射されて前記発光素子を透過した後、前記第２反射型偏光板を前記背面方向に向かって透過することが好ましい。
【００１３】
前記発光素子は、ＯＬＥＤ素子であることが好ましい。
【００１４】
前記発光素子から前記表面方向に向かって出射した第２偏光と、前記発光素子から前記背面方向に向かって出射して前記第２反射型偏光板によって反射された第２偏光とによって第１画像を表示するために前記第１反射型偏光板を挟んで前記発光素子と対向するように配置された表面表示画面と、前記発光素子から前記背面方向に向かって出射した第１偏光と、前記発光素子から前記表面方向に向かって出射して前記第１反射型偏光板によって反射された第１偏光とによって第２画像を表示するために前記第２反射型偏光板を挟んで前記発光素子と対向するように配置された背面表示画面とをさらに具備することが好ましい。
【００１５】
本実施の形態に係るモバイル機器においては、第１偏光を反射し第２偏光を透過するように発光素子の表面方向側に配置された第１反射型偏光板と、第２偏光を反射し第１偏光を透過するように発光素子の背面方向側に配置された第２反射型偏光板とを具備している。
【００１６】
このため、発光素子から表面方向に向かって出射した第２偏光は、第１反射型偏光板を表面方向に向かって透過することができ、発光素子から背面方向に向かって出射した第２偏光は、第２反射型偏光板によって反射されて発光素子を透過した後、第１反射型偏光板を表面方向に向かって透過することができる。また、発光素子から背面方向に向かって出射した第１偏光は、第２反射型偏光板を背面方向に向かって透過することができ、発光素子から表面方向に向かって出射した第１偏光は、第１反射型偏光板によって反射されて発光素子を透過した後、第２反射型偏光板を背面方向に向かって透過することができる。
【００１７】
その結果、厚みの薄い構成によって表面表示画面と背面表示画面との双方に画像を表示することができる。
【００１８】
以下、図面を参照して本発明の実施の形態を説明する。
【００１９】
図１は本実施の形態に係るモバイル機器１５０を表面側から見た斜視図であり、図２はモバイル機器１５０を背面側から見た斜視図である。モバイル機器１５０は、例えば携帯電話であり、略板状の形状をした本体８を備えている。本体８の長手方向に垂直な方向に沿って形成された側面には、円柱形状をしたアンテナ１１が本体８の長手方向に沿って突出するように設けられている。アンテナ１１は、音声情報、その他のデータを送受信するために設けられている。
【００２０】
本体８に形成された表面には、略正方形状をした表面表示画面６がアンテナ１１側に設けられている。本体８に形成された背面には、略正方形状をした背面表示画面７がアンテナ１１側に設けられている。表面表示画面６および背面表示画面７は、互いに略同一の形状をしており、互いに対向する位置に配置されている。
【００２１】
表面表示画面６および背面表示画面７は、モバイル機器１５０によって提供される各種サービスの内容を効率よく分類して表示することができる。表面表示画面６および背面表示画面７は、互いに同一の内容を表示することができるし、表面表示画面６および背面表示画面７をそれぞれ駆動する電子回路を互いに独立してそれぞれ設けることによって、互いに独立した内容を表示することができる。
【００２２】
本体８に形成された表面における表面表示画面６の反対側には、マトリックス状に配置された複数のキーボード１４が配置されている。本体８に形成された背面における背面表示画面７の反対側には、マトリックス状に配置された複数のキーボード１５が配置されている。キーボード１４およびキーボード１５は、数字、文字および記号をモバイル機器１５０に入力するために設けられている。
【００２３】
本体８に形成された表面における表面表示画面６と複数のキーボード１４との間には、表面モード切替ボタン１２が設けられている。本体８に形成された背面における背面表示画面７と複数のキーボード１５との間には、背面モード切替ボタン１３が設けられている。背面モード切替ボタン１３は、各種サービス機能を選択し、またはキーボード１４およびキーボード１５からのかな、ひらがな、英数字等の入力を選択するためにそれぞれ設けられている。
【００２４】
本体８の長手方向に沿って本体８に形成された側面には、ひも状の部材によってリング状に形成されたストラップ１６が設けられている。
【００２５】
図３は、本実施の形態に係るモバイル機器１５０に設けられた表示装置１００の構成を示す断面図である。図１および図２を参照して前述したモバイル機器１５０の構成要素と同一の構成要素には、同一の参照符号を付している。従って、これらの構成要素の詳細な説明は省略する。
【００２６】
表示装置１００は、発光素子３を備えている。発光素子３は、例えばＯＬＥＤ素子によって構成されており、表面方向４と表面方向４と反対の背面方向５とに向かって第１偏光と第２偏光とをそれぞれ出射するように設けられている。第１偏光は、図３における紙面に沿った上下方向に沿って偏光している。第２偏光は、紙面に垂直な方向に沿って偏光している。このように、第１偏光の偏光方向と第２偏光の偏光方向とは、互いに約９０度異なっている。
【００２７】
表示装置１００には、反射型偏光板１が設けられている。反射型偏光板１は、紙面に沿った上下方向に沿って偏光する第１偏光を反射し、紙面に垂直な方向に沿って偏光する第２偏光を透過するように、発光素子３の表面方向４側に配置されている。
【００２８】
表示装置１００は、反射型偏光板２を有している。反射型偏光板２は、紙面に垂直な方向に沿って偏光する第２偏光を反射し、紙面に沿った上下方向に沿って偏光する第１偏光を透過するように、発光素子３の背面方向５側に配置されている。
【００２９】
モバイル機器１５０に形成された表面に設けられた表面表示画面６は、発光素子３から表面方向４に向かって出射した第２偏光と、発光素子３から背面方向５に向かって出射して反射型偏光板２によって反射された第２偏光とによって第１画像を表示するために反射型偏光板１を挟んで発光素子３と対向するように配置されている。
【００３０】
モバイル機器１５０に形成された背面に設けられた背面表示画面７は、発光素子３から背面方向５に向かって出射した第１偏光と、発光素子３から表面方向４に向かって出射して反射型偏光板１によって反射された第１偏光とによって第２画像を表示するために反射型偏光板２を挟んで発光素子３と対向するように配置されている。
【００３１】
このように構成された表示装置１００においては、発光素子３から表面方向４に向かって出射した第２偏光は、反射型偏光板１を表面方向４に向かって透過する。発光素子３から背面方向５に向かって出射した第２偏光は、反射型偏光板２によって反射されて発光素子３を透過した後、反射型偏光板１を表面方向４に向かって透過する。
【００３２】
発光素子３から背面方向５に向かって出射した第１偏光は、反射型偏光板２を背面方向５に向かって透過する。発光素子３から表面方向４に向かって出射した第１偏光は、反射型偏光板１によって反射されて発光素子３を透過した後、反射型偏光板２を背面方向５に向かって透過する。
【００３３】
表面表示画面６は、発光素子３から表面方向４に向かって出射した第２偏光と、発光素子３から背面方向５に向かって出射して反射型偏光板２によって反射された第２偏光とに基づいて第１画像を表示する。背面表示画面７は、発光素子３から背面方向５に向かって出射した第１偏光と、発光素子３から表面方向４に向かって出射して反射型偏光板１によって反射された第１偏光とに基づいて第２画像を表示する。
【００３４】
以上のように本実施の形態によれば、第１偏光を反射し第２偏光を透過するように発光素子３の表面方向４側に配置された反射型偏光板１と、第２偏光を反射し第１偏光を透過するように発光素子３の背面方向５側に配置された反射型偏光板２とを具備している。
【００３５】
このため、発光素子３から表面方向４に向かって出射した第２偏光は、反射型偏光板１を表面方向４に向かって透過することができ、発光素子３から背面方向５に向かって出射した第２偏光は、反射型偏光板２によって反射されて発光素子３を透過した後、反射型偏光板１を表面方向に向かって透過することができる。また、発光素子３から背面方向５に向かって出射した第１偏光は、反射型偏光板２を背面方向５に向かって透過することができ、発光素子３から表面方向４に向かって出射した第１偏光は、反射型偏光板１によって反射されて発光素子３を透過した後、反射型偏光板２を背面方向に向かって透過することができる。
【００３６】
その結果、表面用と背面用との２枚の発光素子を有する従来の構成の約２分の１の薄い厚みの構成によって表面側と背面側との双方に画像を表示することができる。また、１枚の発光素子によって表示装置を構成することができるので、コストも従来の構成の約３分の２に低くなる。さらに、発光素子３が発光する光の損失なしに効率よく表面側と背面側との双方に画像を表示することができる。
【００３７】
なお、本実施の形態においては、略板状の形状をした本体を備えた携帯電話に本発明を適用した例を示したが、本発明はこれに限定されない。折りたたみ自在に構成された折り畳み型携帯電話に対しても本発明を適用することができる。
【００３８】
【発明の効果】
以上のように本発明によれば、表面と背面との双方において画像を表示するためのより薄型の表示装置およびモバイル機器を提供することができる。
【図面の簡単な説明】
【図１】本実施の形態に係るモバイル機器を表面側から見た斜視図
【図２】本実施の形態に係るモバイル機器を背面側から見た斜視図
【図３】本実施の形態に係るモバイル機器に設けられた表示装置の構成を示す断面図
【符号の説明】
１  反射型偏光板
２  反射型偏光板
３  発光素子
４  表面方向
５  背面方向
６  表面表示画面
７  背面表示画面
８  本体
１００  表示装置
１５０  モバイル機器
【図１】
2004205702.tif 000003
【図２】
2004205702.tif 000004
【図３】
2004205702.tif 000005